(57)【要約】【課題】簡単な構成で、可搬性の高い、コンパクトな携帯端末スタンドを提供することを目的とする。【解決手段】携帯端末スタンドは、携帯端末スタンド本体と、携帯端末を挟持する挟持部とを有し、携帯端末を挟持部により挟持し、挟持された携帯端末の下辺、及び、前記本体の長軸方向の他方の領域が接地することにより、携帯端末を傾斜させた状態で立たせる。前記本体は、剛性を持った素材により形成され、第１の点を含む第一部材と、第２の点を含む第二部材とに分離し、第一部材と第二部材とを接合して使用するための接合部をさらに有する。また、前記本体は、第一部材と、第二部材とを結束するための結束部を有する。【選択図】図１
2015033121.tif 000002
【特許請求の範囲】
【請求項１】
携帯端末スタンドであって、
既定の長さを有する本体と、
前記本体の長軸方向の一方の領域に設けられた、携帯端末を挟持する挟持部と
を有し、
前記挟持部に挟持された携帯端末の下辺、及び、前記本体の長軸方向の他方の領域が接地することにより、携帯端末を傾斜させた状態で立たせる
携帯端末スタンド。
【請求項２】
前記挟持部は、
離間して互いに向かい合う２点を有し、
第１の点は携帯端末の前面を固定し、第２の点は携帯端末の背面を固定する
請求項１に記載の携帯端末スタンド。
【請求項３】
前記本体は、剛性を持った素材により形成される
請求項１に記載の携帯端末スタンド。
【請求項４】
前記本体は、
前記第１の点を含む第一部材と、
前記第２の点を含む第二部材とに分離し、
前記第一部材と前記第二部材とを接合して使用するための接合部
をさらに有する
請求項１に記載の携帯端末スタンド。
【請求項５】
前記本体は、
前記第一部材と、前記第二部材とを結束するための結束部
をさらに有する
請求項４に記載の携帯端末スタンド。
【請求項６】
前記第二部材が、前記挟持部と異なる付加機能を有する
請求項４に記載の携帯端末スタンド。
【発明の詳細な説明】
【技術分野】
【０００１】
本発明は、携帯端末スタンドに関する。
【背景技術】
【０００２】
携帯端末スタンドとしては、これまでも様々な形態のものが考案されており、例えば、実用新案登録３１４１８９７号のようなスタンドが考案されている。しかしながら、これまでの考案は、イーゼル型のものが主であり、携帯端末を設置するためにはスタンドそのものが大きくならざるを得ず、また、携帯端末スタンドの可搬性が悪かった。また、実用新案登録３１６２３９０号のように、立て掛け型のものは、携帯端末を支えるための広い載置面が必要であった。
【先行技術文献】
【特許文献】
【０００３】
【特許文献１】実用新案登録３１４１８９７号公報
【特許文献２】実用新案登録３１６２３９０号公報
【発明の概要】
【発明が解決しようとする課題】
【０００４】
本発明は、上述した背景からなされたものであり、簡単な構成で、可搬性の高い、コンパクトな携帯端末スタンドを提供することを目的とする。
【課題を解決するための手段】
【０００５】
本発明に係る携帯端末スタンドは、携帯端末スタンドであって、既定の長さを有する本体と、前記本体の長軸方向の一方の領域に設けられた、携帯端末を挟持する挟持部とを有し、前記挟持部に挟持された携帯端末の下辺、及び、前記本体の長軸方向の他方の領域が接地することにより、携帯端末を傾斜させた状態で立たせる。
【０００６】
好適には、前記挟持部は、離間して互いに向かい合う２点を有し、第１の点は携帯端末の前面を固定し、第２の点は携帯端末の背面を固定する。
【０００７】
好適には、前記本体は、可撓性を持った素材により形成される。
【０００８】
好適には、前記本体は、前記第１の点を含む第一部材と、前記第２の点を含む第二部材とに分離し、前記第一部材と前記第二部材とを接合して使用するための接合部をさらに有する。
【０００９】
好適には、前記本体は、前記第一部材と、前記第二部材とを結束するための結束部を有する。
【００１０】
好適には、前記第二部材が、前記挟持部と異なる付加機能を有する。
【発明の効果】
【００１１】
本発明によれば、携帯端末を挟持する簡単な構造により、携帯端末を設置することができ、コンパクトなサイズで製造できるため、可搬性にも優れた携帯端末スタンドを提供することができる。
【図面の簡単な説明】
【００１２】
【図１】第１実施形態の携帯端末スタンドを例示する斜視図である。
【図２】第１実施形態の携帯端末スタンドの装着を例示する図である。
【図３】第２実施形態の携帯端末スタンドを例示する斜視図である。
【図４】本実施形態の携帯端末スタンドの応用例を例示する図である。
【発明を実施するための形態】
【００１３】
本実施形態の背景と概要を説明する。
近年、スマートフォンなどの携帯端末が普及し、外出先においてもワンセグ放送や、ストリーミング配信を視聴することが多くなった。携帯端末を手にもって操作するメールやゲームに対して、ワンセグやストリーミングの視聴や、フェイスタイムなどのテレビ電話での通話は、手に持つのではなく、ある程度の距離をもって固定して使用したいというニーズがある。しかしながら、携帯端末は、それ自身で自立して載置される機能を有しない場合が多く、これらの背景から、携帯端末と共に持ち歩ける可搬性の高いスタンドが求められている。
【００１４】
［第１実施形態］
第１本実施形態の構成を説明する。
図１は、第１実施形態の携帯端末スタンドを例示する斜視図である。
図１に例示するように、本実施形態による携帯端末スタンド２は、挟持部２０、本体２３、及び、持ち手部２４を有する。本体２３は、ステンレス鋼などの金属板であり、長さは約６ｃｍ〜９ｃｍ程度で、厚さは約１ｍｍ〜３ｍｍ前後である。
【００１５】
本例では、ステンレス鋼の金属板を用いたが、剛性部材としては、例えば、その他の金属の板金や、同様の形状を鋳型による鋳造などでもよい。また、可撓性を持った部材を用いてもよく、木材、シリコン、ゴム、プラスチックなどの樹脂や革の抜型による加工、金型によるプラスチック樹脂成型など、様々な材質を用いて加工することが可能である。
【００１６】
挟持部２０は、本発明に係る挟持部の一例である。
挟持部２０は、第１の点２１と第２の点２２とが含まれる。
第１の点２１は、携帯端末の前面を固定する。
第２の点２２は、携帯端末の背面を固定する。
第１の点２１と、第２の点２２とは、離間して互いに向かい合い、その離間距離は、携帯端末の厚さより、約１ｍｍ〜１５ｍｍ程度大きくとることが望ましく、携帯端末を掴むのではなく、携帯端末は自身の重さにより倒れこみ、それを挟持部の第１の点、及び、第２の点が支えることで携帯端末を挟持する。
【００１７】
本体２３は、本発明に係る本体の一例である。
本体２３は、挟持部２０と持ち手部２４とが含まれる。長軸方向の一方に挟持部２０を有し、他方に持ち手部２４を有する。
本体２３の長さは、携帯端末を挟持し、傾斜させた状態で立たせるための長さがあればよく、具体的には、携帯端末との大きさのバランス、可搬性を考慮し、好ましくは、約６ｃｍ〜９ｃｍ程度である。
【００１８】
持ち手部２４は、本発明に係る持ち手部の一例である。
持ち手部２４は、可搬用の穴を空けておくことで、キーホルダーとしての使用や、別のキーホルダー等に装着することが可能である。
【００１９】
図２は、第１実施形態の携帯端末スタンドの装着を例示する図である。
図２に例示するように、携帯端末スタンド２は、本体２３の長軸方向の一方に設けられた挟持部２０に携帯端末を挟持し、本体２３の長軸方向の他方を接地することによって携帯端末を支える。挟持部２０は、携帯端末を掴むのではなく、携帯端末は自身の重さにより倒れこみ、それを挟持部２０の、離間して互いに向かい合う２点が、携帯端末を固定し、支えることで携帯端末を挟持する。
【００２０】
図２（ａ）に示すように、第１の点２１は、携帯端末の前面下部に、第２の点２２は、携帯端末の背面上部に配置され、２点に携帯端末が接触し、携帯端末の自重により固定されることによって携帯端末を挟持し、本体が接地されることにより安定して設置される。図２（ｂ）は、設置例を横から見た図である。
【００２１】
さらに、携帯端末スタンド２は、携帯端末に挟持部２０を固定する高さによって、設置角度を自由に調節することができる。また、挟持部２０の第１の点２１と第２の点２２とを、例えば蝶番のように可動式にすることにより、より可搬性を高めることができる。
【００２２】
以下に具体的な加工例を説明する。本実施形態の、携帯端末スタンドは、一枚の板金を成型することで簡単に加工することができる。
まず、一枚の板金をレーザー加工や抜型、切削、若しくはエッチング加工等によって、例えばカギ型の形状に切り出す。図４（ａ）は抜型の例である。つぎに第１の点２１と、第２の点２２の曲げ加工を行う。携帯端末の背面を固定する第２の点２２を上方に、携帯端末の前面を固定する第１の点２１を下方に折り曲げる。
【００２３】
携帯端末を挟持するために必要な、第１の点と第２の点との高さは、約１０ｍｍ〜１５ｍｍほどを要するが、上下反対側に曲げ加工することで、本体から、第１の点、及び、第２の点の突起の高さを、半分の高さに抑えることができる。
【００２４】
また、本体２は、鍵状の持ち手部２４に可搬用の穴を空けておくことで、キーホルダーとしての使用や、別のキーホルダー等に装着することによりアクセサリーとしての使用が可能であり、携帯して持ち運ぶことができ、且つ紛失を防止することができる。
【００２５】
設置方法としては、挟持部２０を携帯端末に取り付ける高さによって、設置角度を自由に調節することができる。
【００２６】
本実施形態では、板金加工して一体成型することで、簡単に安価で作成することができるが、これに限定されるものではなく、例えばスケルトンキーのような形状で本体を円筒状にすることも可能であり、板金での円筒状加工や、円筒状の本体に挟持部を溶接加工してもよい。また、挟持部２０を曲げ加工することは、これに限られるものではなく、例えば蝶番のような構造にして、平時は平らにしておき、使用時に立てて使用することも可能である。また、材質が金属の場合、放熱効果も期待できる。
【００２７】
また、材質はステンレス鋼を一例とする金属に限られるものではなく、木材、シリコン、ゴム、プラスチックなどの樹脂や革の抜型による加工や、同様の形状を鋳型による鋳造や、金型によるプラスチック樹脂成型などを行ってもよく、これに限られるものではない。
【００２８】
［第２実施形態］
つぎに、第２本実施形態の概要を説明する。
図３は第２実施形態の携帯端末スタンドを例示する斜視図である。
図３に例示するように、本実施形態による携帯端末スタンド２は、第１実施形態と同様に本体２３、挟持部２０、及び、持ち手部２４を有する。
【００２９】
第一部材３１は、本発明に係る第一部材の一例である。
第一部材３１は、第１の点２１と結束部２５と接合部溝３３とが含まれる。
結束部２５は、第一部材と第二部材を結束する。
接合部溝３３は、第二部材の接合部ツメ３４を挿入することで、第二部材を第一部材に接合する。
【００３０】
第二部材３２は、本発明に係る第二部材の一例である。
第二部材３２は、第２の点２２と結束部２５と接合部ツメ３４とが含まれる。
接合部ツメ３４は、第一部材の接合部溝に挿入することで、第二部材を第一部材に接合する。
【００３１】
第２実施形態では、本体の、挟持部の第１の点と第２の点を、第一部材と第二部材とに分離し、接合部を設けて、使用時のみ組み立てて使用する。携帯端末スタンドは、使用時のみ組み立てて使用することで、未使用時の可搬性を高めることができる。また、これによりデザイン性の自由度を向上させることもできる。また、本体を第一部材と第二部材とに、分離することにより、分離した部材に、例えばドライバー、やすり、ペーパーナイフなどの挟持部と異なる機能を付加して具備することが可能である。
【００３２】
本実施形態では、前述の挟持部２０を第１実施形態のように曲げ加工によって作成するのではなく、２つのパーツの組み合わせによって構成する。すなわち、図３（ａ）のように、板金をレーザー加工や抜型、若しくはエッチング加工等によって加工する。２つのパーツには、接合部が備えられており、第１の点２１を有する方の第一部材３１に、第２の点２２を有する第二部材３２を接合する。
【００３３】
接合方法の例としては、第一部材の接合部溝３３に、第二部材の接合部ツメ３４を挿入し、スライドさせることによって、接合部溝３３に接合部ツメ３４を引っ掛けて、２つの部材を接合することが考えられるが、単にほぞ継のように挿し込むだけの構成や、ネジ式の固定方法をとってよく、これに限るものではない。
【００３４】
第２実施形態においては、分離着脱可能としたことで、第二部材を本体の裏表のどちらの方向から接合してもよく、第二部材を付けた側を上側にして使用する。これにより、携帯端末スタンドは、第二部材の接合の方向によって、携帯端末の左右どちらでも使用することができる。また、第一部材と、第二部材とを結束部２５にリングやチェーンなどで結束しておくことで、個々の部材の紛失を防ぐこともできる。設置方法としては、第１実施形態と同様に、挟持部２０を携帯端末に取り付ける高さによって、設置角度を自由に調節することができる。
【００３５】
以上のように、第２実施形態においては、使用時には組み立てて設置し、使用時以外の平時には、個々のパーツをばらしておくことにより、可搬性をより高めることができる。また、第一部材、及び、第二部材は、個々のパーツが平面であるため、加工によりデザイン性を高めることが可能である。
図４は、本実施形態の携帯端末スタンドの応用例を例示する図である。
図４（ｂ）（ｃ）（ｄ）（ｅ）は、その例である。
【００３６】
また、携帯端末スタンドの材質は、第２実施形態では板金加工を例に説明したが、材質は金属に限られるものではなく、プラスチックなどの樹脂や革の抜型による加工や、同様の形状を鋳型による鋳造、金型によるプラスチック樹脂成型など、これに限定されるものではない。
以上、本発明に係る実施形態について説明したが、これらに限定されるものではなく、発明の趣旨を逸脱しない範囲において、種々の変更、追加等が可能である。
【００３７】
［変形例］
次に、上記実施形態の変形例を説明する。
上記実施形態では、携帯端末スタンドの実施形態を説明したが、第２実施形態の接合方法について、例えば図３（ｃ）のように接合部溝３３を複数配置し、携帯端末の厚みに合わせて第二部材３２を接合させる溝を選択し、接合することも可能である。また、図４（ｅ）のように、接合部溝３３と接合部ツメ３４を複数具備して接合することも可能であるが、接合方法はこれに限定されるものではない。
【００３８】
また、携帯端末スタンドには、第２実施形態に記載の個々の部材、例えば第二部材３２に、ドライバーやペーパーナイフ、または、やすりなど、挟持部とは異なる機能を付加して具備することも可能である。
【００３９】
本発明の基本的な構成としては、本体、挟持部を有していればよく、意匠は例えば図４のように自由に設計することが可能である。
【００４０】
以上説明したように、実施形態によれば、比較的に簡単に可搬性に優れた携帯端末スタンドを提供することができる。
上記実施形態では、金属の板金加工による形態を示したが、木材、シリコン、ゴム、プラスチックなどの樹脂や革の抜型による加工や、同様の形状を鋳型による鋳造、金型によるプラスチック樹脂成型など、これに限定されるものではない。
【符号の説明】
【００４１】
２  ・・・・・・携帯端末スタンド
２０・・・・・・挟持部
２１・・・・・・第１の点
２２・・・・・・第２の点
２３・・・・・・本体
２４・・・・・・持ち手部
２５・・・・・・結束部
３１・・・・・・第一部材
３２・・・・・・第二部材
３３・・・・・・接合部溝
３４・・・・・・接合部ツメ
【図１】
2015033121.tif 000003
【図２】
2015033121.tif 000004
【図３】
2015033121.tif 000005
【図４】
2015033121.tif 000006